(57)【要約】【課題】気体の流れによって、空間内の熱を効率的に排出することができる気流制御システムを提供する。【解決手段】第１の吹出部２と、吸込部３と、第２の吹出部４と、制御部と、を備える。第１の吹出部２は、底面１４１に設けられ、壁面１５１に沿って上向きに気体を吹き出し可能に構成される。吸込部３は、天井面１３１において第１の吹出部２の上方に対向する位置に設けられ、第１の吹出部２より吹き出された気体を吸い込んで排出するように構成される。第２の吹出部４は、天井面１３１において吸込部３と異なる場所に設けられ、気体を吹き出し可能に構成される。制御部は、第１の吹出部２から吹き出す気体の流量を、第１の吹出部２から吹き出す気体の温度および吸込部３で吸い込む気体の温度に基づいて制御する。【選択図】図３
2017161166.tif 000002
【特許請求の範囲】
【請求項１】
底面に設けられ、壁面に沿って上向きに気体を吹き出し可能な第１の吹出部と、
天井面において前記第１の吹出部の上方に対向する位置に設けられ、前記第１の吹出部より吹き出された気体を吸い込んで排出する吸込部と、
前記天井面において前記吸込部と異なる場所に設けられ、気体を吹き出し可能な第２の吹出部と、
前記第１の吹出部から吹き出す気体の流量を、前記第１の吹出部から吹き出す気体の温度および前記吸込部から吸い込む気体の温度に基づいて制御する制御部と、
を備える、気流制御システム。
【請求項２】
前記吸込部に集熱材が設けられる、請求項１記載の気流制御システム。
【請求項３】
前記第１の吹出部に潜熱蓄熱材が設けられる、請求項１または２記載の気流制御システム。
【請求項４】
前記壁面に第１の熱伝導性部材および第２の熱伝導性部材が設けられ、
前記第１の熱伝導性部材は前記第２の熱伝導性部材よりも上側に設けられ、
前記第１の熱伝導性部材は前記第２の熱伝導性部材よりも熱伝導性が高い、請求項１〜３のいずれか一項に記載の気流制御システム。
【発明の詳細な説明】
【技術分野】
【０００１】
本発明は、気流制御システムに関する。
【背景技術】
【０００２】
特許文献１には、従来の気流制御システムが開示されている。この従来の気流制御システムは、天井面に、壁面に沿って上向きに流れる気体を吸い込む吸込部が設けられている。吸込部から吸い込んだ気体はヒートポンプ等を有する空調機を通して吹出部より室内に戻される。
【先行技術文献】
【特許文献】
【０００３】
【特許文献１】特開２００８−１４５５５号公報
【発明の概要】
【発明が解決しようとする課題】
【０００４】
このように、従来の気流制御システムは、ヒートポンプ等を有する空調機により、空気が冷却されているが、このような空調機は駆動するのにエネルギーを要するものであった。
【０００５】
本発明は、上記事情に鑑みてなされたものであり、その目的とするところは、気体の流れによって、空間内の熱を効率的に排出することができる気流制御システムを提供することにある。
【課題を解決するための手段】
【０００６】
本発明に係る気流制御システムは、第１の吹出部と、吸込部と、第２の吹出部と、制御部と、を備える。第１の吹出部は、底面に設けられ、壁面に沿って上向きに気体を吹き出し可能に構成される。吸込部は、天井面において前記第１の吹出部の上方に対向する位置に設けられ、前記第１の吹出部より吹き出された気体を吸い込んで排出するように構成される。第２の吹出部は、前記天井面において前記吸込部と異なる場所に設けられ、気体を吹き出し可能に構成される。制御部は、前記第１の吹出部から吹き出す気体の流量を、前記第１の吹出部から吹き出す気体の温度および前記吸込部から吸い込む気体の温度に基づいて制御する。
【発明の効果】
【０００７】
本発明の気流制御システムによれば、気体の流れによって、空間内の熱を効率的に排出することができる。
【図面の簡単な説明】
【０００８】
【図１】図１は、本発明の第１実施形態の気流制御システムに係るブースの斜視図である。
【図２】図２は、同上のブースの第二方向に直交する面の断面図である。
【図３】図３は、同上のブースの第一方向に直交する面の断面図である。
【図４】図４は、同上の気流制御システムの制御部のブロック図である。
【図５】図５は、第２実施形態の気流制御システムに係るブースの第一方向に直交する面の断面図である。
【図６】図６は、同上の気流制御システムの制御部のブロック図である。
【図７】図７は、第３実施形態の気流制御システムに係るブースの第一方向に直交する面の断面図である。
【図８】図８は、第４実施形態の気流制御システムに係るブースの第一方向に直交する面の断面図である。
【図９】図９は、第５実施形態の気流制御システムに係るブースの第一方向に直交する面の断面図である。
【発明を実施するための形態】
【０００９】
本発明は、気流制御システムに関し、特に、壁面に沿って上向きに気体を吹き出させることで、熱を排出することができる気流制御システムに関する。以下、本発明の実施形態について添付図面に基づいて説明する。
【００１０】
（１）概要
本実施形態のブースは、例えば、人が休憩をするスペースなどに使用される。本実施形態のブースは、壁面に沿って上向きに気体を吹き出させる気流制御システムを備えており、気体の流れによって、空間内の熱を効率的に排出することができる。
【００１１】
（２）詳細
以下、第１実施形態の気流制御システムについて詳しく説明する。ただし、以下に説明する構成は、本発明の一例に過ぎず、本発明は下記実施形態に限定されない。本発明に係る技術的思想を逸脱しない範囲であれば、設置現場の環境や仕様等に応じて、下記実施形態からの種々の変更が可能である。
【００１２】
（２．１）ブース本体
第１実施形態のブースは、図１に示すように、ブース本体１と、気流制御システムとを備えている。ブース本体１は、例えば、屋外に設置される。ブース本体１は、天井部１３と、底部１４と、壁部１５とを備えており、これら天井部１３と底部１４と壁部１５とで囲まれた空間に、複数の人を収容することができる（この空間をブース内空間１１という）。また、ブース本体１は、ブース内空間１１と外部とを通じさせる開口部１２を有している。以下においては、開口部１２の内外方向に平行な方向を第一方向とし、第一方向に直交する水平面に沿った方向を第二方向として定義する。
【００１３】
図２には、ブース本体１の第二方向に直交する断面を示す。図２に示すように、天井部１３は、ブース本体１の上端面に設けられた天板により構成される。天井部１３の下面は、ブース内空間１１に面しており、天井面１３１を構成する。天井部１３は、平板により構成されている。天井部１３は、第一方向に幅を、第二方向に長さを有しており、上方から見て（以下、平面視）略矩形状に形成されている。
【００１４】
底部１４は、天井部１３の下方に対向する底板により構成される。底部１４の上面は、ブース内空間１１に面しており、底面１４１を構成する。底部１４は、天井部１３と同様に、第一方向に幅を、第二方向に長さを有しており、平面視略矩形状に形成されている。
【００１５】
図３には、ブース本体１の第一方向に直交する断面を示す。図３に示すように、壁部１５は、壁板により構成される。壁部１５は、底部１４の第二方向の両端部から立ち上げられている。各壁部１５のブース内空間１１側の面は壁面１５１（内壁面）を構成し、底面１４１に直交する。壁部１５の上端は、天井部１３に接続されている。なお、底部１４の第一方向の一端部には、壁部１５は設けられておらず、開口部１２となっている（図１参照）。壁部１５の第一方向の長さは、底部１４および天井部１３の幅とほぼ同じ寸法に形成されている。
【００１６】
ブース本体１の開口部１２は、図１に示すように、第一方向の一方に開放している。なお、第１実施形態のブース本体１には、一つの開口部１２が設けられているが、複数の開口部１２が設けられてもよい。ただし、第一方向および第二方向のすべての方向には開口部１２が設けられず、開口部１２が設けられない部分に壁部１５を有し、少なくとも一つの壁部１５を有する。
【００１７】
（２．２）気流制御システム
気流制御システムは、図３に示すように、ブース本体１に設置されている。気流制御システムは、壁面１５１に沿って上向きに気体を吹き出させ、これにより、気体の流れによって、ブース内空間１１内の熱を効率的に排出することができる。
【００１８】
気流制御システムは、第１の吹出部２と、吸込部３と、第２の吹出部４と、第１の吹出部２および第２の吹出部４を制御する制御部５（図４）とを備えている。
【００１９】
第１の吹出部２は、底面１４１に設けられ、壁面１５１に沿って上向きに気体を吹き出し可能に構成される。第１の吹出部２は、取込口２１と、底面１４１の下方に配置されたファン２２と、底面１４１において上方に開口する吹出口２３とを備えている。取込口２１は、例えば、底部１４の下方において外気と通じるように開口しており、外気が取り込まれる。ファン２２が作動することにより、取込口２１から気体としての空気（外気）が取り込まれ、第１の吹出部２内に流される。第１の吹出部２内に取り込まれた空気は、吹出口２３より上向きに吹き出される。吹出口２３は、その開口端が壁面１５１に位置するか壁面１５１に近接するように位置している。
【００２０】
第１の吹出部２の吹出口２３から吹き出された空気は、壁面１５１に沿って上向きに流れる。すなわち、第１の吹出部２から壁面１５１に沿うように吹き出された空気は、コアンダ効果により壁面１５１に沿った流を保って上向きに流れる。
【００２１】
吸込部３は、天井面１３１において第１の吹出部２の上方に対向する位置に設けられる。吸込部３は、第１の吹出部２より吹き出された気体を吸い込んで排出するように構成される。吸込部３は、天井面１３１に設けられた取込口３１と、天井面１３１の上方に配置されたファン３２と、排出口３３とを備えている。吸込部３は、壁面１５１に沿って上昇する気流を取込口３１を介して内部に吸入し、排出口３３を介して外部に排出することができる。
【００２２】
第２の吹出部４は、図３に示すように、天井面１３１の中央部に配置される。第２の吹出部４は、取込口４１と、ファン４２と、吹出口４３とを備えている。ファン４２が作動することにより、取込口４１より気体としての空気が取り込まれ、吹出口４３より気体としての空気を吹き出すことができるように構成される。ここで、「天井面１３１の中央部」とは、天井面１３１の外縁部を除く一定の領域をいうものとする。したがって、「天井面１３１の中央部」は、天井面１３１において第一方向のちょうど中央で、かつ第二方向のちょうど中央だけを示すものではない。
【００２３】
第２の吹出部４は、天井面１３１の中央部から、第二方向に沿って外側斜め下方に向かって空気を吹き出すことができるように構成されている。第２の吹出部４は、底面１４１に沿うように空気を吹き出すことができる。なお、第２の吹出部４は、空気を第一方向に長さを有するように吹き出してもよいし、第一方向に沿って外側に向かって拡がるように吹き出してもよい。
【００２４】
第２の吹出部４から吹き出された空気は、第二方向の外側に向かって下降し、底面１４１に沿うように移動する。この後、底面１４１に沿って移動する空気は、第１の吹出部２から吹き出された空気と合流して、壁面１５１に沿って上向きに流れる。
【００２５】
制御部５は、図４に示すように、判断部５１と、送風制御器５２と、とを備えている。
【００２６】
判断部５１は、ブース内空間１１の環境や外部環境の情報に基づいて、第１の吹出部２および第２の吹出部４から吹き出される空気の流量（以下、送風量）を決定し、その情報（以下、決定情報）を送風制御器５２に出力する。判断部５１は、送風量を決定するための情報として、例えば、自然風の向き，自然風の風量，ブース内空間１１と外部との温湿度差，第１の吹出部２から吹き出す気体の温度および吸込部３から吸い込む気体の温度，日射量，天気などの条件のうちの少なくとも一つの条件に基づいて判断する。なお、これらのうちの２つ以上を組み合わせて判断してもよい。
【００２７】
例えば、自然風の向きが第一方向に沿った方向である場合、判断部５１は、送風量を通常よりも増大させるように決定する。一方、自然風の向きが第二方向に沿った方向である場合、判断部５１は、送風量を通常よりも減少させるように決定する。
【００２８】
また、自然風の風量が所定の風量よりも大きい場合、判断部５１は、送風量を通常よりも増大させるように決定する。一方、自然風の風量が所定の風量よりも小さい場合、判断部５１は、送風量を通常よりも減少させるように決定する。
【００２９】
また、ブース内空間１１と外部との温湿度差が所定値よりも大きい場合、判断部５１は、送風量を通常よりも増大させるように決定する。一方、ブース内空間１１と外部との温湿度差が所定値よりも小さい場合、判断部５１は、送風量を通常よりも減少させるように決定する。
【００３０】
また、第１の吹出部２から吹き出す気体の温度および吸込部３から吸い込む気体の温度に基いて、第１の吹出部２および第２の吹出部４から吹き出す送風量を決定する。第１の吹出部２から吹き出す気体は、ブース内空間１１内に吐出する気体である。吸込部３から吸い込む気体は、ブース内空間１１内から排出する気体である。
【００３１】
吸込部３から吸い込む気体の温度ｔ１と第１の吹出部２から吹き出す気体の温度ｔ２との温度差Δｔ（＝ｔ１−ｔ２）が、所定範囲外となるように、判断部５１が、第１の吹出部２および第２の吹出部４から吹き出す気体の流量を決定する。例えば、温度差Δｔが所定範囲（例えば５度以上）内である場合には、第１の吹出部２から吹き出す気体の流量を増大させる。これに伴い、吸込部３から吸い込んで排出する気体の流量も増大する。これにより、ブース内空間１１内から排出される熱量が差引で大きくなり、ブース内空間１１内の平均の温度が下がる。これにより、ブース内空間１１の熱負荷に応じて、制御部５が送風量を制御することとなる。
【００３２】
また、日射量が所定値よりも大きい場合、判断部５１は、送風量を通常よりも増大させるように決定する。一方、日射量が所定の値よりも小さい場合、判断部５１は、送風量を通常よりも減少させるように決定する。
【００３３】
また、天気が晴天の場合、判断部５１は、送風量を通常よりも増大させるように決定する。一方、天気が雨天の場合、判断部５１は、送風量を通常よりも減少させるように決定する。
【００３４】
これらの環境情報は、ブースに検知部を設けて、制御部５が検知部から環境情報のデータを取得して処理してもよいし、例えば、気象庁が発表する気象データから制御部５が該当する環境情報のデータを取得して処理してもよい。
【００３５】
このように判断部５１による決定情報は、送風制御器５２に出力される。
【００３６】
送風制御器５２は、判断部５１から決定情報が入力されると、これに基づいて、第１の吹出部２および第２の吹出部４から吹き出される空気の流量を制御する。具体的に、送風制御器５２は、第１の吹出部２および第２の吹出部４に内蔵されたファン２２、４２の回転数を制御し、これによって、吹出口２３、４３から吹き出される空気の流量を制御する。
【００３７】
このように、第１実施形態の気流制御システムは、送風量を所定の環境条件に基づいて決定することができる。これにより、第１実施形態の気流制御システムでは、気体の流れによって、空間（ブース内空間１１）内の熱を効率的に排出することができる。
【００３８】
次に、第２実施形態の気流制御システムについて、図５に基いて説明する。第２実施形態の気流制御システムは、第１実施形態の気流制御システムと大部分において同じであるため、同じ部分については同符号を付して説明を省略し、主に異なる部分について説明する。
【００３９】
第２実施形態の気流制御システムは、第１実施形態において、さらにミスト噴霧部６を備えている。ミスト噴霧部６は、ミストを噴霧する複数のミストノズル６１と、ミストノズル６１に水を供給する給水管と、ミストノズル６１への給水量を調整する流量調整弁とを有している。ミストノズル６１は、第２の吹出部４から吹き出された空気に向かってミスト（例えば、微細ミスト）を噴霧する。ミストノズル６１は第２の吹出部４に取り付けられている。給水管には、複数のミストノズル６１が接続されており、このミストノズル６１の上流側には流量調整弁が設けられている。ミストノズル６１が噴霧するミストの噴霧量は、流量調整弁によって変更することができる。
【００４０】
制御部５は、所定の環境条件に基づいて、第１の吹出部２および第２の吹出部４から吹き出す空気の流量、ミストノズル６１から噴霧されるミストの噴霧量を制御する。制御部５は、図６に示すように、送風制御器５２と、ミスト制御器５３と、判断部５１とを備えている。
【００４１】
第２実施形態では、判断部５１は、ブース内空間１１の環境や外部環境の情報に基づいて、第１の吹出部２および第２の吹出部４から吹き出される空気の流量に加えて、ミストノズル６１から噴霧されるミストの噴霧量を決定する。判断部５１は、それらの決定情報を送風制御器５２およびミスト制御器５３に出力する。判断部５１は、第１実施形態の場合と同様に、例えば、自然風の向き，自然風の風量，ブース内空間１１と外部との温湿度差，第１の吹出部２から吹き出す気体の温度および吸込部３で吸い込む気体の温度，日射量，天気などの条件のうちの少なくとも一つの条件に基づいて判断する。なお、これらのうちの２つ以上を組み合わせて判断してもよい。
【００４２】
ミスト制御器５３は、判断部５１から決定情報が入力されると、これに基づいて、ミスト噴霧部６から噴霧されるミストの量を制御する。ミスト制御器５３は、流量調整弁を制御し、これによって、ミストノズル６１から噴霧されるミストの量を変更することができる。
【００４３】
このように、第２実施形態の気流制御システムは、送風量および噴霧量を所定の環境条件に基づいて決定することができる。第２実施形態の気流制御システムでは、気体の流れによって、空間（ブース内空間１１）内の熱を効率的に排出するのみならず、ミストが気化する際に周囲の空気から気化熱を奪うことによる空気の冷却効果が得られる。これにより、空間（ブース内空間１１）内をより一層冷却することが可能となる。
【００４４】
次に、第３実施形態の気流制御システムについて、図７に基いて説明する。第３実施形態の気流制御システムは、第１実施形態の気流制御システムと大部分において同じであるため、同じ部分については同符号を付して説明を省略し、主に異なる部分について説明する。
【００４５】
第３実施形態の気流制御システムは、第１実施形態または第２実施形態において、さらに集熱材７を備えるものである。集熱材７は、吸込部３に設けられる。集熱材７は、太陽光による熱を集め、集めた熱を吸込部３に伝える。集熱材７としては、内部に貯水したガラス容器等が挙げられるが、特に限定されない。この集熱材７にあっては、日中に太陽光の照射を受けて加熱され、この熱を内部の水が貯える。すなわち、水が蓄熱材として機能する。集熱材７により蓄えられた熱は、吸込部３を流れる空気に付与される。この場合、壁面１５１に沿った部分に位置する空気において、上部に熱が付与され、暖められた空気の上部への排出が促進されることにより、壁面１５１に沿った空気に上昇を促進させる力が働く。
【００４６】
これにより、第１の吹出部２のファン２２による、壁面１５１に沿った空気の上昇に加えて、集熱材７による、壁面１５１に沿った空気の上昇の促進効果が得られる。この結果、集熱材７を設けることによって、壁面１５１に沿った空気の上昇の促進を、ファン等の動力を要することなく行うことができる。
【００４７】
次に、第４実施形態の気流制御システムについて、図８に基いて説明する。第４実施形態の気流制御システムは、第１実施形態の気流制御システムと大部分において同じであるため、同じ部分については同符号を付して説明を省略し、主に異なる部分について説明する。
【００４８】
第４実施形態の気流制御システムは、第１実施形態ないし第３実施形態のいずれかの実施形態において、さらに潜熱蓄熱材８を備えるものである。潜熱蓄熱材８は、第１の吹出部に設けられる。潜熱蓄熱材８は、冷却されて固体の状態にされたものである。潜熱蓄熱材８としては、氷（水）、パラフィン系潜熱蓄熱材が挙げられるが、特に限定されない。
【００４９】
潜熱蓄熱材８に触れた空気は、潜熱蓄熱材８より熱を奪われて温度が下降する。この場合、壁面１５１に沿った部分に位置する空気において、下部で冷やされた空気をファンにより上昇させ、その空気よりも温度の高い上部の空気はより排出されやすくなる。
【００５０】
これにより、第１の吹出部２のファン２２による、壁面１５１に沿った空気の上昇に加えて、潜熱蓄熱材８による、壁面１５１に沿った空気の上昇の促進効果が得られる。この結果、潜熱蓄熱材８を設けることによって、壁面１５１に沿った空気の上昇の促進を、ファン等の動力を要することなく行うことができる。
【００５１】
次に、第５実施形態の気流制御システムについて、図９に基いて説明する。第５実施形態の気流制御システムは、第１実施形態の気流制御システムと大部分において同じであるため、同じ部分については同符号を付して説明を省略し、主に異なる部分について説明する。
【００５２】
第５実施形態の気流制御システムは、第１実施形態ないし第４実施形態のいずれかの実施形態において、壁面１５１に、上側に第１の熱伝導性部材１５Ａが設けられ、その下側に第２の熱伝導性部材１５Ｂが設けられる。第１の熱伝導性部材１５Ａは、第２の熱伝導性部材１５Ｂよりも熱伝導性が高い。第１の熱伝導性部材１５Ａおよび第２の熱伝導性部材１５Ｂとしては、互いに熱伝導性が異なる一般的な壁材が挙げられるが、特に限定されない。互いに熱伝導性が異なる壁材としては、互いに熱伝導率が異なる材質で形成される壁材であってもよいし、材質自体の熱伝導率は同じで厚みが違う壁材であってもよい。
【００５３】
太陽光等により加熱された第１の熱伝導性部材１５Ａおよび第２の熱伝導性部材１５Ｂは、ブース内空間１１側に熱を伝える。このとき、第１の熱伝導性部材１５Ａは、第２の熱伝導性部材１５Ｂよりも、単位時間当たりで大きな熱を屋外側からブース内空間１１側に伝える。
【００５４】
壁面１５１に沿った部分に位置する空気において、第１の熱伝導性部材１５Ａに対応する上部には熱が多く付与され、第２の熱伝導性部材１５Ｂに対応する下部には熱があまり付与されず、上部の空気の浮力による排出が促進される。
【００５５】
これにより、第１の吹出部２のファン２２による、壁面１５１に沿った空気の上昇に加えて、第１の熱伝導性部材１５Ａおよび第２の熱伝導性部材１５Ｂによる、壁面１５１に沿った空気の上昇の促進効果が得られる。この結果、第１の熱伝導性部材１５Ａおよび第２の熱伝導性部材１５Ｂを設けることによって、壁面１５１に沿った空気の上昇の促進を、ファン等の動力を要することなく行うことができる。
【００５６】
（３）効果
以上、述べた実施形態から明らかなように、本発明に係る第１の態様の気流制御システムは、第１の吹出部２と、吸込部３と、第２の吹出部４と、制御部５と、を備える。第１の吹出部２は、底面１４１に設けられ、壁面１５１に沿って上向きに気体を吹き出し可能に構成される。吸込部３は、天井面１３１において第１の吹出部２の上方に対向する位置に設けられ、第１の吹出部２より吹き出された気体を吸い込んで排出するように構成される。第２の吹出部４は、天井面１３１において吸込部３と異なる場所に設けられ、気体を吹き出し可能に構成される。制御部５は、第１の吹出部２から吹き出す気体の流量を、第１の吹出部２から吹き出す気体の温度および吸込部３で吸い込む気体の温度に基づいて制御する。
【００５７】
第１の態様によれば、気体の流れによって、空間（ブース内空間１１）内の熱を効率的に排出することができる。
【００５８】
本発明に係る第２の態様の気流制御システムは付加的なものであり、第１の態様との組み合わせにより実現される。第２の態様の気流制御システムは、吸込部３に集熱材７が設けられる。
【００５９】
第２の態様によれば、壁面１５１に沿った空気の上昇の促進を、ファン等の動力を要することなく行うことができる。
【００６０】
本発明に係る第３の態様の気流制御システムは付加的なものであり、第１の態様または第２の態様との組み合わせにより実現される。第３の態様の気流制御システムは、第１の吹出部２に潜熱蓄熱材８が設けられる。
【００６１】
第３の態様によれば、壁面１５１に沿った空気の上昇の促進を、ファン等の動力を要することなく行うことができる。
【００６２】
本発明に係る第４の態様の気流制御システムは付加的なものであり、第１の態様〜第３の態様のいずれかとの組み合わせにより実現される。第４の態様の気流制御システムは、  壁面１５１に第１の熱伝導性部材１５Ａおよび第２の熱伝導性部材１５Ｂが設けられる。第１の熱伝導性部材１５Ａは第２の熱伝導性部材１５Ｂよりも上側に設けられる。第１の熱伝導性部材１５Ａは第２の熱伝導性部材１５Ｂよりも熱伝導性が高い。
【００６３】
第４の態様によれば、壁面１５１に沿った空気の上昇の促進を、ファン等の動力を要することなく行うことができる。
【００６４】
（４）応用
ブースは、底部１４、壁部１５および天井部１３を構成する部材以外に、柱や梁やその他の部材を適宜有してももちろんよい。例えば、ブースが、天井部１３とは別体の屋根を有してもよい。
【００６５】
ブースは、天井部１３の周囲の四辺のうちの二辺に対応する部分に壁部１５が設けられ、残りの二辺に対応する部分に壁部１５が設けられず、開口部となってもよい。また、天井部１３の周囲の四辺のうちの一辺に対応する部分に壁部１５が設けられ、残りの三辺に対応する部分に壁部１５が設けられず、開口部となってもよい。また、天井部１３の周囲の四辺に対応する部分すべてに壁部１５が設けられてもよい。
【００６６】
また、壁部１５の一部に、開口部が適宜設けられてもよい。また、壁部１５の一部に設けられた開口部を開閉する扉が適宜設けられてもよい。この場合、扉が壁部１５として機能してもよい。
【００６７】
また、ブースは、間仕切り用の壁部を有して、内部に一部屋のみならず、間仕切り用の壁部により仕切られる複数の部屋を有してもよい。
【００６８】
ブースの形状は限定されない。天井部１３が平面視矩形状をしていなくてもよいし、壁部１５が正面視矩形状をしていなくてもよい。
【００６９】
第１の吹出部２の吹出口２３の長さ、個数は限定されない。すなわち、上述した実施形態では、壁面１５１の長さとほぼ同じ長さの吹出口２３が設けられているが、壁面１５１の長さよりも短い長さの吹出口２３が複数設けられてもよい。
【００７０】
第１の吹出部２の取込口２１は、底部１４の下方において外気と通じるのではなく、ブース内空間１１に通じるように形成されてもよい。この場合、取込口２１からブース内空間１１の空気が取り込まれる。
【００７１】
その他、本発明の主旨を逸脱しない範囲であれば、適宜設計変更を行うことができる。
【符号の説明】
【００７２】
１３１  天井面
１４１  底面
１５１  壁面
１５Ａ  第１の熱伝導性部材
１５Ｂ  第２の熱伝導性部材
２      第１の吹出部
３      吸込部
４      第２の吹出部
５      制御部
７      集熱材
８      潜熱蓄熱材
【図１】
2017161166.tif 000003
【図２】
2017161166.tif 000004
【図３】
2017161166.tif 000005
【図４】
2017161166.tif 000006
【図５】
2017161166.tif 000007
【図６】
2017161166.tif 000008
【図７】
2017161166.tif 000009
【図８】
2017161166.tif 000010
【図９】
2017161166.tif 000011